(57)【特許請求の範囲】
【請求項１】
店舗における売上げを計算するレジスタの計算結果に基づいた釣銭投出指令を受けて釣銭貨幣の投出を行うとともに、顧客が支払った貨幣を識別して収納する貨幣処理機を備えたレジシステムにおいて、上記貨幣処理機の前面側に着脱または引出し可能に設けられ、貨幣処理機の釣銭貨幣の投出、支払いを受けた貨幣の収納とは無関係な貨幣収納部と、この貨幣収納部の離脱または引出しを検知する検知手段と、キーによる手動操作により前記検知手段による検知を無効とするキー手段と、このキー手段が操作されずに前記貨幣収納部が離脱または引出されたとき前記検知手段の検知により異常を通知する異常通知手段とを具備することを特徴とする貨幣処理機を備えたレジシステム。
【請求項２】
前記貨幣収納部は機体に対し引出し可能に設けられ、この貨幣収納部の引出しを阻止するロック手段を有するとともに該ロック手段の解除時に貨幣収納部を押出す押出し手段を有し、この貨幣収納部の底部を構成する底板を回動可能に形成し、貨幣処理機の故障時等釣銭投出が不能となったときキー操作により貨幣収納部を引出す際に前記底板の係止を解除し得るキー手段を設け、このキー手段が係止されていない状態で前記ロック手段が解除されたとき貨幣収納部が引出されてその底部が回動し、内部の現金がばらまかれるようにした請求項１記載の貨幣処理機を備えたレジシステム。
【請求項３】
前記貨幣収納部の挿入状態を検出する検知手段と、前記キーの操作状態の検知手段と、前記ロック手段が解除されたとき貨幣収納部を押出す押出し手段とを有し、前記キー手段のキー操作がなされずに前記ロック手段が解除されて貨幣収納部が前記押出し手段により押出されたことを前記検知手段が検知したとき警報を発するようにした請求項１または２記載の貨幣処理機を備えたレジシステム。
【発明の詳細な説明】
【０００１】
【発明の属する技術分野】
本発明は、コンビニエンスストア等において、釣銭をレジの計算結果に基づいて投出するとともに顧客が支払った貨幣を収納する貨幣処理機を備えたレジシステムに係り、特に貨幣処理機の異常、停電等により釣銭の手払いおよび顧客の支払い金の手収納の必要が生じた際の縮退運用を可能とするレジシステムに関する。
【０００２】
【従来の技術】
近時、コンビニエンスストアをはじめとする店舗のレジでは、売上金の入金機能と、機体内の収納部から釣銭を投出する出金機能とを有する貨幣処理機が備えられ、顧客の購入金額の登録、および顧客から受取った金額と購入金額との差額をレジスタが算出し、差額がある場合はその金額を釣銭として投出し、その釣銭を顧客に手渡して取引きを終了するレジシステムが一般化されている。
【０００３】
【発明が解決しようとする課題】
しかして上記のような貨幣処理機では、何らかの理由により機械にトラブルが発生して機械がダウンすると、入出金操作が全くできなくなり、レジを閉鎖せざるを得ず、レジ業務がストップして顧客に多大な迷惑をかけることになる。
【０００４】
一方、強盗等の侵入時に収納貨幣の保護対策が十分でなく、被害額が大きくなるという問題があった。
【０００５】
【課題を解決するための手段】
本発明は、機械がダウンした場合であっても緊急的に現金の入出金を可能とし、顧客に対する迷惑をなくすことを課題としてなされたもので、店舗における売上げを計算するレジスタの計算結果に基づいた釣銭投出指令を受けて釣銭貨幣の投出を行うとともに、顧客が支払った貨幣を識別して収納する貨幣処理機を備えたレジシステムにおいて、上記貨幣処理機の前面側に着脱または引出し可能に設けられ、貨幣処理機の釣銭貨幣の投出、支払いを受けた貨幣の収納とは無関係な貨幣収納部と、この貨幣収納部の離脱または引出しを検知する検知手段と、キーによる手動操作により前記検知手段による検知を無効とするキー手段と、このキー手段が操作されずに前記貨幣収納部が離脱または引出されたとき前記検知手段の検知により異常を通知する異常通知手段とを具備せしめたことにある。これにより前記貨幣収納部に予め所定の金額の貨幣を収納しておき、万一貨幣処理機が故障して入出金処理が不能になったとき貨幣収納部内に現金の収納、釣銭の取出しを行うことにより顧客に対応する縮退運用ができる。キー手段が操作されずに貨幣収納部が離脱または引出された場合には、これが検知手段により検知され、異常通知手段により異常が通知される。
【０００６】
また、前記貨幣収納部を機体に対し引出し可能とし、この貨幣収納部の引出しを阻止するロック手段を設けるとともに該ロック手段の解除時に貨幣収納部を押出す押出し手段を設け、この貨幣収納部の底部を構成する底板を回動可能に形成し、貨幣処理機の故障時等釣銭投出が不能となったときキー操作により貨幣収納部を引出す際に前記底板の係止を解除し得るキー手段を設け、このキー手段が係止されていない状態で前記ロック手段が解除されたとき貨幣収納部が引出されてその底部が回動し、内部の現金がばらまかれるようにしたことを請求項２とするもので、これによれば、万一強盗が侵入したときキーを使用せずしてロックを解除し、貨幣収納部を開放するように押出させれば、貨幣収納部の底部が下方に回動して内部の現金が落下し、付近にばらまかれ、強盗をあわてさせ、その隙に店員に次後の対策をとらせることができる。この場合、貨幣収納部に収納しておく紙幣の番号を記録しておけば、強盗が紙幣を拾い集めて逃走してもその捜査に役立たせることができる。
【０００７】
さらに、請求項３は、前記貨幣収納部の挿入状態を検出する検知手段を設け、キー操作がなされずにロック手段が解除されて貨幣収納部の押出されたことを前記検知手段が検知したとき警報を発するようにしたもので、これによればいち早く非常事態の発生を他に知らしめることができ、被害を未然に防ぐことができる。
【０００８】
【発明の実施の形態】
以下、本発明を図面に示す実施の形態を参照して説明する。
【０００９】
図１は本発明の一実施形態の外観を示すもので、この実施形態では、レジ台１の一側に貨幣処理機としての紙幣入出金機２が、他側の上部位置には硬貨入出金機３が配置され、レジ台１の上面にはＰＯＳレジスタ４が配置されるようになっていて、コンビニエンスストア等の店舗のレジとして使用する形態とした場合を示している。
【００１０】
上記紙幣入出金機２は、機体５の上部前側に位置して開口する紙幣入金口６およびその直下位置に開口する紙幣出金口７を有している。
【００１１】
上記硬貨入出金機３は、上部前側に位置して開口する硬貨入金口８および硬貨出金口９を有し、またＰＯＳレジスタ４は周知のように操作キー１０群、係員用表示部１１、顧客用表示部１２、顧客から受取った現金を顧客に見える位置に一時的に置いておくための現金載置部１３、レシート発行口１４等を有している。なお１５はカウンタを示す。
【００１２】
図２は上記紙幣入出金機２の縦断側面視の概要図を示すもので、前記紙幣入金口６に続いて入金紙幣を水平方向に搬送するベルト１６およびローラ等からなる搬送路１７が配設され、その内端に続いて入金紙幣の金種、正損等を識別する入金識別部１８を有する識別搬送路１９がベルト２０，２１により形成されており、この識別搬送路１９の末端は垂直方向に変換されて垂直搬送路２２に続いている。
【００１３】
この垂直搬送路２２の上端位置のベルト２１は前記出金口７の近くのプーリー２３に巻回されて折り返えされ、その下部のベルト２４と協働して出金紙幣を出金部２５へ放出して集積するようになっている。なお２６は出金される紙幣の飛び出しを防ぐための受部である。
【００１４】
上記出金部２５の直下位置の機体５内には、後述する貨幣収納部２７が、その下方位置に１万円紙幣用の収納部２８、千円紙幣用の収納部２９、５千円紙幣用の収納部３０がそれぞれ配設されている。また前記垂直搬送路２２の途中部には、前記出金部２５へ紙幣を分岐搬送するための分岐爪３１、収納部２８，２９への分岐爪３２，３３がそれぞれ設けられている。
【００１５】
上記１万円紙幣用の収納部２８は、送入される紙幣Ｐを羽根車３４の羽根間で受け止めて重積状に集積収納するものであり、また千円、５千円紙幣用の収納部２９，３０は紙幣を巻取って収納するものである。これら収納部２９，３０は同じ構成を有するので、上部のものにつき説明し、下部の収納部３０には符号を付すに留める。
【００１６】
すなわち正逆回転駆動され周囲に紙幣が巻付けられる回転ドラム３５を有し、この回転ドラム３５の周面に２種のベルト３６，３７が共に巻付けられ、これらベルト３６，３７の一方のベルト３６は紙幣出入口の上部のプーリー３８から中間プーリー３９を経由して巻取り軸４０に巻付けられ、他方のベルト３７は紙幣出入口の下部のプーリー４１から中間プーリー４２，４３を経由して巻取り軸４４に巻付けられている。
【００１７】
したがって紙幣を収納するときは、回転ドラム３５が正転駆動（図２において時計方向回転）してプーリー３８，４１間から送入される紙幣をベルト３６，３７間に挟み込み、回転ドラム３５の周面に順次巻付けて収納し、紙幣を出金するときは、回転ドラム３５が逆転駆動してベルト３６，３７間に挟持されていた紙幣をプーリー３８，４１間から送出するものである。
【００１８】
上記各部の駆動は、図示しないモータにより行われ、前記回転ドラム３５，３５は収納または繰出し時にクラッチの断続により回転伝達を受けるようになれており、その動作については制御部４５により制御が行われる。
【００１９】
前記貨幣収納部２７は、機体５の前面に押出される上面が開放された引出構造のもので、図３、図４に示すように四周を構成する外枠部４６と、この外枠部４６内に納まる内箱枠４７と、この内箱枠４７内に図５に示すように１万円紙幣Ｐ１、５千円紙幣Ｐ２、千円紙幣Ｐ３、１円〜５００円の硬貨Ｃの収納区域を区画する仕切板４８，４８，４８…とを有し、下面には底板４９があって、前記区画された各領域内に予め釣銭用として所定の金額の現金が金種別に収納され、後述するロック手段５０により機体５に係止されるようになっている。
【００２０】
上記底板４９は、外枠部４６の後方位置において横軸５１により枢支され、手前側の自由端４９ａが図６に示すように自重により下方へ回動して展開されるようになっており、その回動時に前記内箱枠４７の底が抜けた状態になるように構成されている。
【００２１】
前記外枠部４６の前後方向一側外面にはラック５２が前後方向に設けられ、このラック５２には機体５側に軸着されたプーリー５３の軸上のピニオン５４が噛合されている。このプーリー５３には、図７に示すように機体５の奥側に設けられた渦巻きバネ機構５５に一端が連結されたベルト５６が巻回され、このプーリー５３により折り返えされたベルト５６の他端は内箱枠４７のベルト固定部５７に固定されており、内箱枠４７に前進習性を与える押出し手段を構成している。
【００２２】
前部外枠部４６の両側部には支持片５８，５８があって内箱枠４７に支持部５９，５９を介して内箱枠４７に対しスライド可能に支持され、この支持片５８，５８は内箱枠４７の前後方向略全長にわたる長さを有し、内箱枠４７との間に張設されたバネ６０，６０により連結されていて支持片５８，５８に前進習性が与えられている。
【００２３】
前記底板４９の前端部両側には外側方へ突出する突出部６１，６１を有し、この突出部６１，６１が前記支持片５８，５８の前端部上面に載ることにより底板４９の自由端４９ａが支えられて内箱枠４７の底部を構成するようになっている。上記突出部６１，６１の前端には下方に垂下する突当部６２，６２が形成されており、この突当部６２，６２に支持片５８，５８の先端５８ａが前記バネ６０，６０の付勢を受けて当接されている。
【００２４】
前記外枠部４６の前端下部にはキー手段７０が設けられている。このキー手段７０は、キー６３を挿入して回動することにより水平姿勢から垂直姿勢に変換し得る楕円形状のカム部材６４を有し、このカム部材６４は、外枠部４６の下面と該外枠部４６に図示しない支持手段およびバネにより上昇習性が与えられて上下動可能に支持されたストッパ部材６５との間におかれている。
【００２５】
このストッパ部材６５は、両端に上方に向け立ち上がるストッパ部６６，６６を有し、このストッパ部６６，６６は前記支持片５８，５８の後端下面に垂下する係合部６７，６７に係脱するようになっており、このストッパ部材６５が下降位置にあるとき、すなわちキー６３によりカム部材６４が垂直姿勢に変換されたとき支持片５８，５８の前進を妨げず、ストッパ部材６５が上昇位置、すなわちカム部材６４が水平位置にあるときは支持片５８，５８の係合部６７，６７がストッパ部６６，６６に当ってとり残されるようになっている。この支持片５８，５８がとり残されるということは底板４９の突出部６１，６１の支えがなくなることを意味し、底板４９の自由端４９ａが自重で下方に回動し、底が抜けることを意味する。
【００２６】
前記ロック機構５０は、内箱枠４７を引出す際に手指を掛ける手掛け６８を有し、この手掛け６８に手を掛けて手前に引くと上部の係合爪６９が機体５側の係合部５ａから外れ、内箱枠４７のロックが解かれ、前記押出し手段により内箱枠４６が自動的に押出されるようになっている。また図において７１は内箱枠４７の奥端上部に設けられたストッパで、内箱枠４７を引き出したとき機体５側のストッパ当て７２に当接して引き出し限を定めるものである。そしてこのストッパ７１がストッパ当て７２に当接したとき前記底板４９を枢支する横軸５１が図９のように外枠部４６から若干外部に出た位置となるように設定されている。
【００２７】
前記内箱枠４７が格納状態にあることを検出する第１の検知手段（スイッチＳＷ１）が外枠部４６側に設けられ、キー６３によりカム部材６４が垂直位置にあること、すなわちストッパ部材６５が下降位置にあることを検出する第２の検知手段（スイッチＳＷ２）が機体５側に設けられており、店内の警報器あるいは警備会社等に継がる通報回路に接続されている。
【００２８】
そして上記第２の検知手段ＳＷ２が投入されているとき、すなわち貨幣収納部の内箱枠４７を開けても底板４９が回動しない状条下においては第１の検知手段ＳＷ１が内箱枠４７の引出しがあっても非常信号は発信されず、第１、第２の検知手段ＳＷ１，ＳＷ２が共に作動したとき非常信号が発信されて警報器による警報あるいは警備会社への通達がなされるようになっている。したがって貨幣処理機のダウン時に縮退運用のために内箱枠４７を突出させても警報のための信号は出されない。
【００２９】
次に上記実施形態の作用を説明する。
【００３０】
稼動前に予め貨幣収納部２７の内箱枠４７内に縮退運用時に必要とされる所定金額の現金（１万円、５千円、千円の各紙幣、および１円〜５００円の各硬貨）を収納しておく。この際、紙幣についてはその番号を記録しておくことが望ましい。こうしてキー手段７０にキー６３を挿入してそのカム部材６４を水平姿勢としておき、ストッパ部材６５を上昇位置においておく。そしてキー６３は抜いてしまっておく。
【００３１】
一方、通常のレジ作業においては、入金口６に係員が紙幣を挿入すると、搬送路１７の駆動により搬入されて識別搬送路１９へ送られ、識別部１８により金種が識別されてその識別結果が１万円紙幣であれば収納部２８への分岐爪３２が切換ってその収納部２８へ送り込み、千円紙幣であれば収納部２９への分岐爪３３が切換ってその収納部２９へ、また５千円紙幣であれば垂直搬送路２２の末端からその収納部３０へそれぞれ送り込まれる。
【００３２】
出金の場合は、ＰＯＳレジスタ４から釣銭の投出指令により各収納部２９，３０から必要とする紙幣（千円、５千円紙幣）が繰出され、出金部２５へ投出され、出金口７から取り出すことができる。
【００３３】
機械が何らかの理由によりダウンし、レジ機能を失った場合には、キー６３を挿入してカム部材６４を垂直姿勢に変換させ、ストッパ部材６５を下げたのち貨幣収納部２７の手掛け６８に手指を掛けてロック手段５０を解けば、内箱枠４７が渦巻バネ機構５５による巻込み力により押出され、その内部に収納されている紙幣、硬貨を用いてレジ業務としての人手による入出金処理を継続して行うことができ、レジで顧客を待たせることを回避することができる。
【００３４】
一方、万一強盗等に押し入られ、現金を強要された場合に店員または強盗が、ロック手段５０の手掛け６８に手を掛けて貨幣収納部２７を開けようとすると、内箱枠４７が押出し手段により押出され、内箱枠４７が押出されきる直前に支持片５８，５８の係合部６７，６７がストッパ部材６５のストッパ部６６，６６に当り、支持片５８，５８の進行が止められてその位置に置き去りになり、内箱枠４７のみが突出する。これにより内箱枠４７の前進終端に至ったとき底板４９の突出部６１，６１が支持片５８，５８の先端５８ａから外れ、底板４９の自由端４９ａが下方へ回動して底抜け状態となり（図６，図９示）、内箱枠４７内に収納されていた現金が落下して辺りに散乱する。強盗はその落下した現金を拾い集めることに気をとられている間に然るべき処置、例えば非常用の通報あるいは警報操作、警報ランプの点灯、その他必要な処置をとることができる。仮に散乱した現金を持ち去られたとしても、機体５内の各収納部２８，２９，３０内の紙幣は外部からは取り出せないので被害金額を最小限に抑えることができる。また貨幣収納部２７内に収納しておく紙幣の番号を控えておけば、後の捜査に役立たせることができる。
【００３５】
上記貨幣収納部２７の押出し動作時に検知手段であるスイッチＳ１が作動するので警報手段が作動し、いち早く緊急事態の発生を知らしめることができる。
【００３６】
図１０は貨幣収納部２７の設置箇所を機体５の前面下方部とし、貨幣収納部２７を縦位置として設置するようにした変形例を示している。この場合には、出金部２５の下部のスペース７３はリジェクト紙幣の収納部等として使用することができる。他の構成は図２と同様であるからこれと共通する部材の主なものに同一符号を付しておくが、図１０において７４は貨幣収納部２７が取り外されたことを検知するセンサであり、そのセンサ７４の検知信号は警報手段７５に入力されて所定の警報を発するようにすることができる。
【００３７】
なお、内箱枠４７の収納時には、渦巻バネ機構５５の巻取力に抗して内箱枠４７を押込めばベルト５６が引出されて渦巻バネ機構５５がチャージされ、内箱枠４７の押込み終端でロック機構５０の係合爪６９が機体５の係合部５ａに係合してロックされる。
【００３８】
また係員がレジを離れることを考慮して、貨幣収納部２７のロック機構５０を別のキーにより施錠する錠を設けることは任意である。さらに強盗等に押し入られて現金を強要された場合に、キー手段７０にキー６３を挿入して回動し、貨幣収納部２７から現金を渡す行動をとり、このときキー６３の回動によりカム部材６４を水平姿勢に変換して内箱枠４７が押出されきる直前に底が抜けるようにしてもよい。
【００３９】
【発明の効果】
以上説明したように本発明によれば、貨幣処理機の機体の一部に通常の入出金には使用しない現金を収納しておく貨幣収納部を付設したことにより、レジ業務に使用した場合、貨幣処理機が何らかの理由によりダウンしても緊急的に貨幣収納部内の現金を使用して入出金処理を行うことができ、これによりレジで顧客を待たせることが防がれる。
【００４０】
また請求項２のように、貨幣収納部を開けた際に底が抜けて内部の現金がばらまかれるようにすれば、強盗に現金を拾い集めさせる時間をかせぐことができるとともに強盗をあわてさせ、その隙に然るべき処置をとることができる。
【００４１】
さらに請求項３のように貨幣収納部を開けた場合非常信号を発するようにすれば、強盗等に現金を強要されたときいち早く警報が出され、強盗を撃退することができる。
【図面の簡単な説明】
【図１】本発明の一実施形態を示す斜視図。
【図２】図１における貨幣処理機（紙幣入出金機）の略示断面図。
【図３】図１における貨幣収納部部分の正面図。
【図４】同、平面図。
【図５】貨幣収納部を使用するために突出させた状態を示す斜視図。
【図６】強盗侵入時に突出した状態を示す斜視図。
【図７】貨幣収納部の格納状態時の略示側面図。
【図８】図５の突出時の状態を示す略示側面図。
【図９】図６の突出時の状態を示す略示側面図。
【図１０】貨幣収納部の設置位置の他の例を示す略示断面図。
【符号の説明】
１  レジ台
２  紙幣入出金機（貨幣処理機）
３  硬貨入出金機
４  ＰＯＳレジスタ
５  機体
６  紙幣入金口
７  紙幣出金口
１８  入金識別部
１９  識別搬送路
２２  垂直搬送路
２５  出金部
２７  貨幣収納部
２８，２９，３０  収納部
４６  外枠部
４７  内箱枠
４９  底板
５０  ロック手段
５１  横軸
５２  ラック
５４  ピオニン
５５  渦巻バネ機構
５８  支持片
６１  突出部
６２  突当部
６３  キー
６４  カム部材
６５  ストッパ部材
６６  ストッパ部
６７  係合部
７０  キー手段
【図１】
0003640717.tif 000002
【図２】
0003640717.tif 000003
【図３】
0003640717.tif 000004
【図４】
0003640717.tif 000005
【図５】
0003640717.tif 000006
【図６】
0003640717.tif 000007
【図７】
0003640717.tif 000008
【図８】
0003640717.tif 000009
【図９】
0003640717.tif 000010
【図１０】
0003640717.tif 000011